(57)【要約】【課題】搬送や設置が容易であり、防犯、防塵への対応がなされ、且つ、簡単な操作により高品質の人物写真を得ることができる人物撮影装置を提供すること。【解決手段】ストロボを備えた人物撮影装置であって、開閉可能な天板、及び、扉を有し、前記天板、及び、前記扉は、閉状態にあるときには、外装となり、開状態にあるときには、ストロボの反射面となるように構成したことを特徴とする人物撮影装置。【選択図】図１
2006189793.tif 000002
【特許請求の範囲】
【請求項１】
ストロボを備えた人物撮影装置であって、
開閉可能な天板、及び、扉を有し、
前記天板、及び、前記扉は、
閉状態にあるときには、外装となり、
開状態にあるときには、ストロボの反射面となるように
構成したことを特徴とする人物撮影装置。
【請求項２】
前記天板を開閉する天板開閉手段と、
前記扉を開閉する扉開閉手段と
前記天板、及び、前記扉を所定の開角度にて停止させるように前記天板開閉手段、及び、前記扉開閉手段を制御する制御手段とを、
有することを特徴とする請求項１に記載の人物撮影装置。
【請求項３】
ストロボを備えた人物撮影装置であって、
開閉可能な天板、及び、扉を有し、
前記天板、及び、前記扉が、
閉状態にあるときには、折り畳まれた収納状態にあり、
開状態にあるときには、伸張状態となる
ストロボの反射部材を有することを特徴とする人物撮影装置。
【請求項４】
撮影照明用光源を備えた人物撮影装置であって、
開閉可能な天板、及び、扉を有し、
前記天板、及び、前記扉は、
閉状態にあるときには、外装となり、
開状態にあるときには、撮影照明用光源となるように
構成したことを特徴とする人物撮影装置。
【請求項５】
前記天板を開閉する天板開閉手段と、
前記扉を開閉する扉開閉手段と
前記天板、及び、前記扉を所定の開角度にて停止させるように前記天板開閉手段、及び、前記扉開閉手段を制御する制御手段とを、
有することを特徴とする請求項４に記載の人物撮影装置。
【請求項６】
撮影照明用光源を備えた人物撮影装置であって、
開閉可能な天板、及び、扉を有し、
前記天板、及び、前記扉が、
閉状態にあるときには、折り畳まれた収納状態にあり、
開状態にあるときには、伸張状態となる
撮影照明用光源を有することを特徴とする人物撮影装置。
【発明の詳細な説明】
【技術分野】
【０００１】
本発明は、ストロボ、又は、その他の撮影照明用光源を備えた人物撮影装置に関わる。
【背景技術】
【０００２】
人物撮影装置としては、パスポートの申請、履歴書や各種試験の受験申請書への添付に使用する顔写真を自動的に撮影するボックス型の証明写真撮影装置が知られている（例えば、特許文献１参照。）。また、展望、その他景色を売り物にしている観光地には、撮影した人物像と、予め準備した景色の画像とを合成して記念写真を作る記念写真撮影装置が設置されている（例えば、特許文献２参照。）。
【０００３】
これらの人物撮影装置は、通常、無人のボックス内か、カーテン状の仕切り内に納められており、内部に入ったお客は、これらの装置に設けられたタッチパネルと呼ばれる操作表示手段に逐次表示される案内に従って指示操作を行い、所定の写真を得る。
【０００４】
上述した人物撮影装置の設置面積はできる限り小さいことが望ましく、その条件を満足させるために、写真としての品質はある程度のレベルにて妥協せざるを得ない場合が多い。さらに、これらの装置は、所定の設置場所に固定されており、簡単に移動することはできないことから、装置に対しては、設置場所における非使用時の無人状態での防犯や防塵面の考慮も必要になる。
【０００５】
従って、限られた短期間に開かれる催しへの参加、来場を記念する写真を撮るために使用する装置としては、上述したような人物撮影装置は使い易いとは言えない。また、定常的な使用であっても、昼間のある一定時間だけ、所定の場所に設置するというような要求に対応することは困難である。
【０００６】
このような状況に対応するためには、撮影場所に適合した照明条件をはじめとする各種撮影条件を予め設定して、専任の撮影者が専用のカメラで撮影するということが一般的に行われている。
【０００７】
しかしながら、上記したような専任の撮影者を設けることは、人件費がかさむこととなり、結果として写真のコストアップにつながる恐れがある。
【特許文献１】特開２００２−２１４６９０号公報（第１頁）
【特許文献２】特開平５−１６１０６４号公報（第１頁）
【発明の開示】
【発明が解決しようとする課題】
【０００８】
本発明は、上述したような状況に鑑みてなされたもので、その目的は、搬送や設置が容易であり、防犯、防塵への対応がなされ、且つ、簡単な操作により高品質の人物写真を得ることができる人物撮影装置を提供することにある。
【課題を解決するための手段】
【０００９】
上記課題は、以下の項目を実現することにより達成される。
（１）
ストロボを備えた人物撮影装置であって、
開閉可能な天板、及び、扉を有し、
前記天板、及び、前記扉は、
閉状態にあるときには、外装となり、
開状態にあるときには、ストロボの反射面となるように
構成したことを特徴とする人物撮影装置。
（２）
前記天板を開閉する天板開閉手段と、
前記扉を開閉する扉開閉手段と
前記天板、及び、前記扉を所定の開角度にて停止させるように前記天板開閉手段、及び、前記扉開閉手段を制御する制御手段とを、
有することを特徴とする（１）に記載の人物撮影装置。
（３）
ストロボを備えた人物撮影装置であって、
開閉可能な天板、及び、扉を有し、
前記天板、及び、前記扉が、
閉状態にあるときには、折り畳まれた収納状態にあり、
開状態にあるときには、伸張状態となる
ストロボの反射部材を有することを特徴とする人物撮影装置。
（４）
撮影照明用光源を備えた人物撮影装置であって、
開閉可能な天板、及び、扉を有し、
前記天板、及び、前記扉は、
閉状態にあるときには、外装となり、
開状態にあるときには、撮影照明用光源となるように
構成したことを特徴とする人物撮影装置。
（５）
前記天板を開閉する天板開閉手段と、
前記扉を開閉する扉開閉手段と
前記天板、及び、前記扉を所定の開角度にて停止させるように前記天板開閉手段、及び、前記扉開閉手段を制御する制御手段とを、
有することを特徴とする（４）に記載の人物撮影装置。
（６）
撮影照明用光源を備えた人物撮影装置であって、
開閉可能な天板、及び、扉を有し、
前記天板、及び、前記扉が、
閉状態にあるときには、折り畳まれた収納状態にあり、
開状態にあるときには、伸張状態となる
撮影照明用光源を有することを特徴とする人物撮影装置。
【発明の効果】
【００１０】
請求項１に記載の発明によれば、非使用時には、装置全体が外装で覆われることにより、防犯、防塵、及び、移動時の損傷防止の効果があり、使用時には大きなストロボ反射面が形成されることにより高品質の人物写真が得られる小型の人物撮影装置が実現される。
【００１１】
請求項２に記載の発明によれば、ストロボ反射面の移動により、被写体に対応させた、より望ましい撮影照明条件を設定することができる人物撮影装置が実現される。
【００１２】
請求項３に記載の発明によれば、非使用時には縮小位置にあった反射面を、使用時に拡大することによって、反射面をカメラから離れた位置に移動させることができるので、より望ましい撮影照明条件を設定することができ、且つ、被写体が多人数の場合にも対応できる撮影照明条件を設定することができる人物撮影装置が実現される。
【００１３】
請求項４に記載の発明によれば、非使用時には、装置全体が外装で覆われることにより、防犯、防塵、及び、移動時の損傷防止の効果があり、使用時にはカメラから離れた位置に面積の大きい撮影照明用光源を設けることができるので、小型で、且つ、高品質の人物写真が得られる人物撮影装置が実現される。
【００１４】
請求項５に記載の発明によれば、撮影照明用光源の照射方向を最適な方向に向けることにより、被写体に対応させた、より望ましい撮影照明条件を設定することができる人物撮影装置が実現される。
【００１５】
請求項６に記載の発明によれば、使用時に撮影照明用光源を拡大させ、あるいは、光源の位置をカメラから離れた位置に移動させることにより、より望ましい撮影照明条件を設定することができる人物撮影装置が実現される。
【発明を実施するための最良の形態】
【００１６】
以下、本発明の実施の形態を、図面を基に行う。
【００１７】
図１は、人物撮影装置の概念図であり、（ａ）は正面図、（ｂ）は側面図、（ｃ）は上面図である。
【００１８】
図に示される人物撮影装置は、上部筐体１０と、下部筐体２０と、これらの二つの筐体を接続する接続部３０とからなる。
【００１９】
上部筐体１０は、上方に開閉する天板１１と、左右に開閉する扉１２とを有し、その内部には、撮影用カメラ１３、プリンタ１４、制御手段Ｃ、ストロボＳＴ１〜４等が収納されている。
【００２０】
また、下部筐体２０は、底部に移動用の車を備えた台座を有し、その内部には、電源装置等の質量の大きな物が収納されている。
【００２１】
撮影用カメラ１３は、デジタルカメラで矢印ａの方向の被写体の撮影を行い、撮影した画像情報を制御手段Ｃに送る。
【００２２】
プリンタ１４は、制御手段Ｃから送られた画像情報を基にハードコピーを出力するプリンタで、熱昇華転写、インクジェット、電子写真等、適宜な技術手段によるプリンタを採用することができる。
【００２３】
上部筐体１０の扉１２が左右に開かれると、扉１２の裏側のストロボ反射面２２１、１２１が両側に現れ、正面には、撮影用カメラのレンズ１５、及び、操作表示手段１６が現れる。本実施例における操作表示手段１６は、広く一般に使用されている公知の操作表示手段であるタッチパネルであって、表示機能と、所定の位置に触れることにより情報の入力が可能な入力機能を有する手段である。
【００２４】
図２は、人物撮影装置の制御関係を示すブロック図である。なお、本発明の説明に不要なブロックについては記載を省略してある。
【００２５】
制御手段Ｃは、ＣＰＵ、メモリＭ、画像処理用ＩＣ、入出力ポート、通信用インターフェイス、駆動回路からなるコンピュータシステムである。制御手段Ｃによる制御は、メモリに予め格納してある所定のプログラムを実行させることにより行われる。
【００２６】
撮影用カメラ１３から制御手段Ｃに送られた画像情報は、画像処理が施され、圧縮されて、前記メモリＭの所定のファイルに格納される。格納された画像情報は、前記タッチパネルから入力された指示情報、例えばサイズ、枚数等の指示情報に基づいて出力画像に加工され、プリンタ１４に送られる。
【００２７】
図３は、天板開閉手段１１０の概念図である。
【００２８】
天板１１は、外装面３３３と反射面３３１とを有し、天板支持部材１１１に支持されている。前記天板支持部材１１１は角度調整モータ１１２の回転シャフト１１３に取り付けられ、前記角度調整モータ１１２はモータ支持部材１１４に支持されている。即ち、天板１１は、天板支持部材１１１と、角度調整モータ１１２の回転シャフト１１３とにより回転可能に支持されている。
【００２９】
前記モータ支持部材１１４は、昇降部材１１５に固定されており、昇降部材１１５はベルト１１７に接続部材接続されている。ベルト１１７はプーリ１１８、１１９に掛け回され、プーリ１１８は、昇降モータ１２０により回転駆動される。
【００３０】
天板１１は、制御手段Ｃが昇降モータ１２０を予め設定した所定量の回転をさせることにより、点線で示す閉位置から上方の所定位置まで自動的に上昇し、次いで、制御手段Ｃが角度調整モータ１１２を回転と停止を制御することにより、図の実線で示すような指示された角度を持って自動的に停止する。
【００３１】
図４は、扉開閉手段２００の概念図である。
【００３２】
扉１２は、外装面２２０と反射面２２１とを有し、支点支持部材２０１により、回転可能に一端が支持されている。扉１２は開閉モータ２０２とリンク機構２０３とによって自動的に開閉される。
【００３３】
図の点線にて示すように、扉１２が閉の状態にあるときには、上部筐体１０の側面は扉１２の外装面２２０、及び、固定の外装面３３０で覆われる。また、実線で示す開の状態にあるときには、反射面２２１が人物撮影装置の前方向に、所定の角度を持って停止している。停止角度の制御は、制御手段Ｃが開閉モータ２０２の回転と停止とを制御することによりなされる。
【００３４】
図５は、扉１２の端部に可動反射部材２２２を設けた例を示す図で、前記可動反射部材２２２は支点２０４を中心にして扉開閉手段２００と同様な手段により、回転と停止が制御手段Ｃにより制御される。
【００３５】
なお、前記可動反射部材２２２の端部に、更なる可動反射部材２２３を設けても良い。また、扉１２の反射面２２１も可動反射部材として、複数の可動反射部材が折り畳まれて扉１２の内側に収納されるように構成しても良い。
【００３６】
また、反射面２２１を伸張させる方法は、上述した方法に限らず、以下の図にて示す方法を採用しても良い。
【００３７】
図６は、可動反射部材２２２、３３２がスライドして伸張する例を示す。
【００３８】
図７は、可動反射部材２２２がロール状に巻かれたシートであって、一端がスライド部材２５０により引き出されることにより伸張する例を示す。
【００３９】
本人物撮影装置にはストロボＳＴ１〜４が、備えられている。
【００４０】
ストロボＳＴ１は、図３で示すように上方に向けて発光される。発光されたストロボ光は天板１１の反射面３３１にて矢印ｄ１の方向に反射される。矢印ｄ１の方向は天板１１の停止角度を変えることによりにより変更することができる。
【００４１】
ストロボＳＴ２は、図４で示すように横方向に向け発光される。発光されたストロボ光は扉１２の反射面２２１にて矢印ｄ２の方向に反射される。矢印ｄ２の方向は扉１２の停止角度を変えることによりにより変更される。なお、ストロボＳＴ３は、図の左側のストロボＳＴ２と対称となる位置に設けられており、ストロボＳＴ２と同様に制御される。
【００４２】
ストロボＳＴ４は、図１で示すように、下方に向けて発光される。発光されたストロボ光は、下方の反射面４４１により前方の被写体に向けて反射される。
【００４３】
以上述べた４つのストロボＳＴ１〜４と、天版１１の反射面３３１と、両扉の反射面２２１、２３１とからなる撮影照明用光源により被写体となる人物、及び背景には、撮影時に撮影光が照射される。ストロボＳＴ１〜４の発光は、制御手段Ｃによる発光指示信号によりタイミングが取られる。また、制御手段Ｃには、ユーザにより操作表示手段１６、又は、操作表示手段１６の機能の一部を有するリモートコントローラ１７により撮影開始の指示をする情報が入力され、入力された情報を基に、前記発光指示信号が出力される。
【００４４】
また、各ストロボの光量、及び、反射面の位置の制御は、メモリＭにある撮影条件ファイルを参照して行われる。なお、前記撮影条件ファイルとは、本番の撮影に先立ち、複数の条件による試し撮りを行って得た複数の画像を操作表示手段１６にて表示して、表示された画像の中から最適な画像を選択し、その画像に対応する条件を記憶したファイルである。
【００４５】
以上の説明は、撮影照明用光源としてストロボと反射面を用いる例を基に行ったが、ストロボと反射面を設ける代わりに、反射面の位置に、発光体を設けて撮影照明用光源としても良い。使用できる発光体としては、マトリクス状に並べた発光ダイオード、ＥＬ（Ｅｌｅｃｔｒｏｌｕｍｉｎｅｓｃｅｎｃｅ）等を使用することができる。また、上記発光体と、ストロボを混用しても良い。
【図面の簡単な説明】
【００４６】
【図１】人物撮影装置の概念図である。
【図２】人物撮影装置の制御関係を示すブロック図である。
【図３】天板開閉手段の概念図である。
【図４】扉開閉手段の概念図である。
【図５】扉の端部に可動反射部材を設けた例を示す図である。
【図６】可動反射部材がスライドして伸張する例を示す図である。
【図７】可動反射部材がロールから引き出されて伸張する例を示す図である。
【符号の説明】
【００４７】
１０  上部筐体
１１  天板
１２  扉
１３  人物撮影用カメラ
１４  プリンタ
１５  撮影用レンズ
１６  操作表示手段
１７  リモートコントローラ
２０  下部筐体
１１０  天板開閉手段
１１２  角度調整モータ
１２０  昇降モータ
２００  扉開閉手段
２０２  開閉モータ
２２１，２３１  反射面（扉）
３３１  反射面（天板）
Ｃ  制御手段
Ｍ  メモリ
ＳＴ１〜４  ストロボ
【図１】
2006189793.tif 000003
【図２】
2006189793.tif 000004
【図３】
2006189793.tif 000005
【図４】
2006189793.tif 000006
【図５】
2006189793.tif 000007
【図６】
2006189793.tif 000008
【図７】
2006189793.tif 000009